(57)【特許請求の範囲】
【請求項１】
第１特定色の光を透過せず他の特定色の光を透過する第１パターン層と、
第２特定色の光を透過せず他の特定色の光を透過する第２パターン層と、
前記第１特定色又は前記第２特定色で切り替えて発光可能な発光手段と、
前記第１特定色の光及び前記第２特定色の光による蓄光に比べて、これらの光に係る波長以外の波長を有する光による蓄光がより強く行われる蓄光層と
を備えており、
前記第１特定色は緑色であり、
前記第２特定色は赤色であり、
前記蓄光層は、緑色及び赤色の光による蓄光に比べて、青色の光による蓄光がより強く行われる
ことを特徴とする光学表示装置。
【請求項２】
更に、第ｎ特定色（ｎ＝３又は３，４又は３，４，５又は・・）の光を透過せず他の特定色の光を透過する第ｎパターン層を備えており、
前記発光手段は、前記第１特定色若しくは前記第２特定色又は前記第ｎ特定色の何れかに切り替えて発光可能であり、
前記蓄光層は、前記第１特定色及び前記第２特定色並びに前記第ｎ特定色の光による蓄光に比べて、これらの光に係る波長以外の波長を有する光による蓄光がより強く行われる
ことを特徴とする請求項１に記載の光学表示装置。
【請求項３】
第１特定色の光を透過せず他の特定色の光を透過する第１パターン層と、
第２特定色の光を透過せず他の特定色の光を透過する第２パターン層と、
前記第１特定色又は前記第２特定色で切り替えて発光可能な発光手段と、
前記第１特定色の光又は前記第２特定色の光のうち、何れか一方の光による蓄光に比べて、他方の光による蓄光がより強く行われる蓄光層と
を備えており、
前記蓄光層は、当該他方の光が透過しない部分又は当該他方の光が透過する部分のうち何れか一方の部分以内のみに配置される
ことを特徴とする光学表示装置。
【請求項４】
更に、第ｎ特定色（ｎ＝３又は３，４又は３，４，５又は・・）の光を透過せず他の特定色の光を透過する第ｎパターン層を備えており、
前記発光手段は、前記第１特定色若しくは前記第２特定色又は前記第ｎ特定色の何れかに切り替えて発光可能であり、
前記蓄光層は、前記第１特定色及び前記第２特定色並びに前記第ｎ特定色の光のうち、少なくとも何れかによる蓄光に比べて、残余の特定色の光による蓄光がより強く行われるものであり、当該残余の特定色の光が透過しない部分又は当該残余の特定色の光が透過する部分のうち何れか一方の部分以内のみに配置される
ことを特徴とする請求項３に記載の光学表示装置。
【請求項５】
前記第１特定色は青色であり、
前記第２特定色は赤色であり、
前記蓄光層は、赤色の光による蓄光に比べて、青色の光による蓄光がより強く行われるものであり、青色の光が透過しない部分又は青色の光が透過する部分のうち何れか一方の部分以内のみに配置される
ことを特徴とする請求項３又は請求項４に記載の光学表示装置。
【請求項６】
前記発光手段による発光を透過し、前記蓄光層による暗所発光あるいは外光のうちの少なくとも一方を前記蓄光層側に反射する反射層を備えている
ことを特徴とする請求項１ないし請求項５の何れかに記載の光学表示装置。
【請求項７】
前記蓄光層は、アルミン酸塩にアルカリ土類金属を混合して発光イオンを賦活した蓄光材料を用いて形成されている
ことを特徴とする請求項１ないし請求項６の何れかに記載の光学表示装置。
【発明の詳細な説明】
【技術分野】
【０００１】
本発明は、複数の意匠を切り替えて表示可能である光学表示装置に関する。
【背景技術】
【０００２】
同一表示面において異なる意匠で表示を切替可能であるシート状表示体として、下記特許文献１に記載のものが知られている。
この表示体は、多数の小穴が空いており、前面に主図柄が施されたメインシートと、当該メインシートの裏面に重ねて配置され、蓄光層から成る副図柄が施されたサブシートを備えている。
かような表示体において、明るい状態では副図柄が潜在化して主図柄のみが見え、暗くなると主図柄は見えなくなって副図柄が顕在化し、副図柄が小穴の群から成る集合体として表れる。
【先行技術文献】
【特許文献】
【０００３】
【特許文献１】特開２００８−１７０５２０号公報
【発明の概要】
【発明が解決しようとする課題】
【０００４】
特許文献１の表示体では、サブシートに蓄光層から成る副図柄が施されているため、暗い環境において別の発光手段を設けなくとも副図柄を発光表示することができる。
しかし、副図柄は、メインシートの小穴を通じて発光表示され、小穴の群から成る集合体として表れる。従って、副図柄がドットの集合した意匠となり、表現に制約が生じている。又、主図柄は、小穴を避けて表す必要があり、やはり意匠の表現に制約がある。
そこで、請求項１，３に記載の発明は、蓄光表示の意匠、及びこれと切替えられる表示の意匠に係る制約が少なく、双方の意匠についてそれぞれ明瞭に表示した状態で切替可能である光学表示装置を提供することを目的としたものである。
【課題を解決するための手段】
【０００５】
上記目的を達成するために、請求項１に記載の発明は、第１特定色の光を透過せず他の特定色の光を透過する第１パターン層と、第２特定色の光を透過せず他の特定色の光を透過する第２パターン層と、前記第１特定色又は前記第２特定色で切り替えて発光可能な発光手段と、前記第１特定色の光及び前記第２特定色の光による蓄光に比べて、これらの光に係る波長以外の波長を有する光による蓄光がより強く行われる蓄光層とを備えており、前記第１特定色は緑色であり、前記第２特定色は赤色であり、前記蓄光層は、緑色及び赤色の光による蓄光に比べて、青色の光による蓄光がより強く行われることを特徴とするものである。
請求項２に記載の発明は、上記発明において、更に、第ｎ特定色（ｎ＝３又は３，４又は３，４，５又は・・）の光を透過せず他の特定色の光を透過する第ｎパターン層を備えており、前記発光手段は、前記第１特定色若しくは前記第２特定色又は前記第ｎ特定色の何れかに切り替えて発光可能であり、前記蓄光層は、前記第１特定色及び前記第２特定色並びに前記第ｎ特定色の光による蓄光に比べて、これらの光に係る波長以外の波長を有する光による蓄光がより強く行われることを特徴とするものである。
上記目的を達成するために、請求項３に記載の発明は、第１特定色の光を透過せず他の特定色の光を透過する第１パターン層と、第２特定色の光を透過せず他の特定色の光を透過する第２パターン層と、前記第１特定色又は前記第２特定色で切り替えて発光可能な発光手段と、前記第１特定色の光又は前記第２特定色の光のうち、何れか一方の光による蓄光に比べて、他方の光による蓄光がより強く行われる蓄光層とを備えており、前記蓄光層は、当該他方の光が透過しない部分又は当該他方の光が透過する部分のうち何れか一方の部分以内のみに配置されることを特徴とするものである。
請求項４に記載の発明は、上記発明において、更に、第ｎ特定色（ｎ＝３又は３，４又は３，４，５又は・・）の光を透過せず他の特定色の光を透過する第ｎパターン層を備えており、前記発光手段は、前記第１特定色若しくは前記第２特定色又は前記第ｎ特定色の何れかに切り替えて発光可能であり、前記蓄光層は、前記第１特定色及び前記第２特定色並びに前記第ｎ特定色の光のうち、少なくとも何れかによる蓄光に比べて、残余の特定色の光による蓄光がより強く行われるものであり、当該残余の特定色の光が透過しない部分又は当該残余の特定色の光が透過する部分のうち何れか一方の部分以内のみに配置されることを特徴とするものである。
請求項５に記載の発明は、上記発明において、前記第１特定色は青色であり、前記第２特定色は赤色であり、前記蓄光層は、赤色の光による蓄光に比べて、青色の光による蓄光がより強く行われるものであり、青色の光が透過しない部分又は青色の光が透過する部分のうち何れか一方の部分以内のみに配置されることを特徴とするものである。
請求項６に記載の発明は、上記発明において、前記発光手段による発光を透過し、前記蓄光層による暗所発光あるいは外光のうちの少なくとも一方を前記蓄光層側に反射する反射層を備えていることを特徴とするものである。
請求項７に記載の発明は、上記発明において、前記蓄光層は、アルミン酸塩にアルカリ土類金属を混合して発光イオンを賦活した蓄光材料を用いて形成されていることを特徴とするものである。
【発明の効果】
【０００６】
本発明によれば、蓄光表示の意匠、及びこれと切替えられる表示の意匠に係る制約が少なく、双方の意匠についてそれぞれ明瞭に表示した状態で切替可能である光学表示装置を提供することができる、という効果を奏する。
【図面の簡単な説明】
【０００７】
【図１】本発明の第１形態に係る光学表示装置の前面図である。
【図２】図１の光学表示装置の一部水平断面概念図である。
【図３】本発明の第２形態に係る光学表示装置の前面図である。
【図４】図３の光学表示装置の一部水平断面概念図である。
【図５】緑色光や青色光等に係る、可視域の波長域付近における分光発光分布を示すグラフである。
【図６】蓄光層に対して緑色光を２時間照射した場合（Ｇ−２Ｈ）と、青色光を５分間照射した場合（Ｂ−５ｍｉｎ）における、照射終了直後の蓄光層の暗所における発光特性を示すグラフである。
【図７】蓄光層に対する青色光の２５分間に亘る裏照射をし、照射完了直後から５分経過した時の、蓄光層の青色光通過部分（裏照射明）と非通過部分（裏照射暗）に係る残光、並びに蓄光層に対する青色光の２５分間に亘る表照射をして、照射完了直後から５分経過した時の残光（表照射）に係る分光輝度分布を示すグラフである。
【発明を実施するための形態】
【０００８】
以下、本発明に係る実施の形態の例につき、適宜図面を用いて説明する。なお、本発明の形態は、以下のものに限定されない。
【０００９】
≪第１形態≫
図１は本発明の第１形態に係る光学表示装置１の前面図であり、図２は光学表示装置１の一部水平断面概念図（図の上が前方）である。
光学表示装置１は、全体が平板状であり、機枠２と、機枠２の前面に配された透光性を有する前カバー３と、前カバー３の内部に設置された表示体４を備えている。
【００１０】
表示体４は、積層構造の光学積層体１０と、光学積層体１０に沿った、導光板１２及び発光手段１４を有している。光学積層体１０は、機枠２後面のほぼ全体に沿っており、又光学表示装置１の前部の大部分に亘っていて、光学積層体１０の前面が表示面となっている。導光板１２は、光学積層体１０の後側に配置されている。発光手段１４は、導光板１２の後側に配置されており、機枠２の後面内側に沿っている。尚、光学積層体１０と導光板１２において、間を開けず、互いに接触するようにして良い。導光板１２と発光手段１４においても、同様である。
光学表示装置１は、図１では機枠２や前カバー３で覆われて成る独立した表示装置として示しているが、携帯端末を始めとする機器の入力部（ボタン等）や表示部等に配置され（ボタンや機器等に組み込まれ）ても良い。入力部に組み込まれた場合には、入力指令状態に応じて、表示の態様（意匠の種類）を切替えることができる。
【００１１】
発光手段１４は、緑色光ＧＬと赤色光ＲＬで切り替えて発光可能である。図２では、緑色光ＧＬは実線で示され、赤色光ＲＬは一点鎖線で示される。
発光手段１４は、ここでは（複数の）緑色ＬＥＤと（複数の）赤色ＬＥＤを搭載したプリント基板である。プリント基板は、前方への反射を強くするため、前面の一部又は全部が白色となっている。尚、発光手段において、緑色光ＧＬと赤色光ＲＬで切替発光可能なＬＥＤを用いても良いし、ＬＥＤ以外の蛍光管等の発光手段を用いても良いし、プリント基板以外に搭載されても良いし、基板に搭載されず単体で用いても良い。又、緑や赤以外の色を用いて良いし、３色以上を用いて良いし、色の組合せを様々に変えて良い。
導光板１２は、発光手段１４からの光を、自身の前面全体ないしその前方へ導く部材である。発光手段１４からの光は、導光板１２全体に均一に拡散される。
導光板１２と発光手段１４により、光学積層体１０等に対する背面側からの照明が可能となり、これらにより照明手段が構成される。尚、光ファイバーやミラー等を組み合わせたり、あるいは、発光手段１４を光学積層体１０の側方に配置して、導光板１２の肉厚部に光が入射するようにし、その入射した光が導光板１２により前方全体に導かれるようにしたり、導光板１２を省略して光学積層体１０を直接照射したりする等、照明手段の構成を適宜変更することができる。
【００１２】
光学積層体１０は、後側（発光手段１４に近い側）から順に、第１パターン層Ｐ１と、第２パターン層Ｐ２と、隠蔽層Ｈと、反射層Ｆと、蓄光層Ｖを含む。これらの形成は、ここでは図示しない透明シートに対する印刷により、更に詳しくはシルク印刷により行われる。尚、第１パターン層Ｐ１と第２パターン層Ｐ２の前後を入れ替える等、層の配置を適宜変更することができる。又、各層の肉厚を適宜変更することができる。更に、発光色数に応じ、パターン層の数を増やして良い。又、隠蔽層Ｈ等を適宜省略することができる。
【００１３】
第１パターン層Ｐ１は、第１特定色としての緑色を呈する緑色光ＧＬを透過せず、第２特定色としての赤色を呈する赤色光ＲＬを透過する層である。
第１パターン層Ｐ１は、赤色を呈する透光性のある材料、即ち赤色光ＲＬ（赤色に対応する波長を有する光）を透過し他の色（他の波長を有する光）は透過しない光選択透過材（バンドストップフィルタ）により形成される。換言すれば、第１パターン層Ｐ１は、緑色光ＧＬを透過せず赤色光ＲＬを透過する光選択透過材（赤色光選択透過材）により形成される。尚、光を透過しないことや光を遮ることには、完全に光を遮ることに加え、僅かに（他の色の光と比較して透過率の低い状態で）光を通すことも含めて良い。
赤色光選択透過材による第１パターン層Ｐ１の形成は、緑色光ＧＬ等を吸収し、赤色光ＲＬを吸収しないインクによる着色によって行うことができる。尚、緑色光ＧＬを反射し、赤色光ＲＬを反射せず透過する光選択反射材を、光選択透過材として用いて、第１パターン層Ｐ１を形成することができる。当該光選択反射材は、例えば光学多層膜として形成することができ、その光学多層膜の形成は、例えば真空蒸着法により行うことができる。
尚、第１パターン層Ｐ１（赤色光選択透過材）における、波長に対する透過率の分布は、赤色に対応する特定の波長において極大値をとりその両側で急峻に下降するものとしたり、あるいは同様な極大値の片側あるいは両側で緩やかに下降するものとしたり、赤色の領域内の特定範囲において極大値と同様の値を維持し、その両側で下降するものとしたり、緑色に対応する波長以外の波長の光を全て透過するものとしたりする等、様々に変更可能である。
【００１４】
第２パターン層Ｐ２は、赤色光ＲＬを透過せず緑色光ＧＬを透過する層である。
第２パターン層Ｐ２は、緑色を呈する透光性のある材料、即ち緑色光ＧＬを透過し他の色は透過しない光選択透過材により形成される。換言すれば、第２パターン層Ｐ２は、赤色光ＲＬを透過せず緑色光ＧＬを透過する光選択透過材（緑色光選択透過材）により形成される。
緑色光選択透過材による第２パターン層Ｐ２の形成手法や変更例は、第１パターン層Ｐ１の場合と同様である。
【００１５】
蓄光層Ｖは、赤色光ＲＬ及び緑色光ＧＬを透過する層であり、蓄光材料により形成される層である。
蓄光層Ｖは、太陽光や照明等の外光により励起されることで蓄光し、暗所で燐光である暗所発光ＳＬを発光する。蓄光層Ｖは、内部光源である発光手段１４の緑色光ＧＬと赤色光ＲＬでは、外光に比べ蓄光しない。例えば、蓄光層Ｖは５００ナノメートル（ｎｍ）以上の波長を有する光では蓄光しない蓄光材料で形成され、緑色光ＧＬは５２０ｎｍの波長を有する光であり、赤色光ＲＬは６３０ｎｍの波長を有する光であれば、蓄光層Ｖは緑色光ＧＬや赤色光ＲＬによる蓄光をせず、５００ｎｍ未満の波長の光を含む外光により蓄光する。尚、光学表示装置１若しくは光学表示装置１の外部の少なくとも一方に、蓄光層Ｖに向けて蓄光用の光を照射する蓄光用照明手段を設けても良い。この蓄光用照明手段による光の照射は、明中において行われ暗中では行われないものであっても良いし、明中若しくは暗中の少なくとも何れかにおいて間欠的に行われても良いし、これらの適宜の組合せにおいて行われても良い。蓄光用照明手段として、１以上の青色ＬＥＤや、白色ＬＥＤ、紫外線ライト、蛍光灯等を用いて良い。蓄光用照明手段による間欠的な照射の少なくとも一部は、視認不能あるいは視認困難である程度に極めて短時間に亘るものであっても良い。又、蓄光層Ｖは、（所定波長未満の波長を有する）光で蓄光して、暗所で発光すれば良く、暗所発光ＳＬは燐光に限られない。
又、蓄光層Ｖは、外光が存在して周囲が明るい場合、淡い黄緑色を呈し、周囲の色に馴染んで認識されない。
かような蓄光層Ｖに係る蓄光材料の例として、アルミン酸塩にアルカリ土類金属を混合して発光イオンを賦活するものが挙げられる。アルカリ土類金属として、Ｍｇ，Ｃａ，Ｓｒ，Ｂａ，Ｚｎの少なくとも一つが例示される。又、発光イオンとして、Ｃｅ，Ｐ，Ｎｄ，Ｅｕ，Ｇａ，Ｔｅ，Ｄｙの少なくとも一つが例示される。そして、上述のアルミン酸塩の具体例として、ＳｒＡｌ２Ｏ４：Ｅｕ，Ｄｙが挙げられる。
【００１６】
第２パターン層Ｐ２と蓄光層Ｖの間には、隠蔽層Ｈと反射層Ｆが配置される。
隠蔽層Ｈは、抑制された透光性を有する層であって、好適には（灰色を呈する）スモークレンズにより形成される。
隠蔽層Ｈは、外部（光学積層体１０前方）からの外光や蓄光層Ｖからの光について、内部へ進入する度合を低減し、更に内部に進入して反射した内部からの光の強度も低減して、発光手段１４の消灯時（非表示時）に第１パターン層Ｐ１のパターンや第２パターン層Ｐ２のパターンが透けて見えてしまう事態を防止する。
又、隠蔽層Ｈは、発光手段１４における発光（特に緑色光ＧＬ）のうち、蓄光層Ｖに良く蓄光される波長（例えば５００ｎｍ未満）の透過を抑制するように形成されている。即ち、隠蔽層Ｈは、発光手段１４の発光分光強度特性を、蓄光層Ｖへの蓄光が低減されるように補正する。
更に、隠蔽層Ｈは、第１パターン層Ｐ１及び第２パターン層Ｐ２並びに蓄光層Ｖを通じた発光表示（第１の意匠及び第２の意匠並びに追加の意匠の表示）時における非発光部分をより黒くして、コントラストをより良好にする。
但し、隠蔽層Ｈにおける透光性の抑制は、緑色光ＧＬや赤色光ＲＬの輝度（第１，第２の意匠の表示の輝度）に支障がない程度にする。尚、隠蔽層Ｈにより非発光部分が灰色や発光色の補色等になるようにしても良い。
隠蔽層Ｈの前側に配置される反射層Ｆは、暗所発光ＳＬや外光（特に蓄光層Ｖに対する蓄光が良く行われる波長未満の光）を前方へ反射し、緑色光ＧＬや赤色光ＲＬを透過する層であり、例えば緑色及び赤色の波長の光を透過し、それ以外の可視領域の波長の光を反射する光学多層膜（ハーフミラー）により形成される。光学多層膜は、好適にはベースシートに対する蒸着により形成され、ベースシートの少なくとも何れか一方の面に形成される。
即ち、反射層Ｆは、後方から入射した緑色光ＧＬや赤色光ＲＬを透過し、前方から来た外光や後向きの暗所発光ＳＬを前方へ戻す。反射層Ｆは、好適には白色や灰色、青色（反射色）を呈する。
反射層Ｆは、蓄光層Ｖに応じて配置されているが、蓄光層Ｖと異なるように配置されても良く、例えば蓄光層Ｖが燐光発光部分に配置される一方で反射層Ｆが全体に配置されても良い。
反射層Ｆの肉厚は、何れかの層と同等であっても良いし、何れの層より厚くても良いし、何れの層より薄くても良いし、どの層とも違う厚さであっても良い。他の層の肉厚についても、同様である。
【００１７】
第１パターン層Ｐ１や第２パターン層Ｐ２、蓄光層Ｖのパターンは、切替表示における各種意匠に応じて形成される。
図１に示すように、切替表示可能な意匠が３種類であって、第１の意匠が黒地に赤色発光する縦細帯で、第２の意匠が黒地に緑色発光する横太帯で、追加の意匠が燐光発光する三角形である場合について、代表例として説明する。
【００１８】
まず、第１の意匠と第２の意匠について説明する。
第１の意匠の発光部分と第２の意匠の発光部分が重なる赤緑重複部分Ｎには、第１パターン層Ｐ１は配置されず、第２パターン層Ｐ２も配置されない。第１パターン層Ｐ１や第２パターン層Ｐ２が配置されなければ、緑色光ＧＬ及び赤色光ＲＬ（並びに他の色の光）の何れも、その前側（発光手段１４から見ると遠方側）の層まではそのまま通過することができる。
又、第１の意匠の赤色発光部分と第２の意匠の非発光部分（地の部分，ここでは黒色）が重なる赤黒重複部分Ｒには、第１パターン層Ｐ１が配置され、第２パターン層Ｐ２は配置されない。更に、第１の意匠の非発光部分と第２の意匠の緑色発光部分が重なる緑黒重複部分Ｇには、第１パターン層Ｐ１は配置されず、第２パターン層Ｐ２が配置される。加えて、第１の意匠の地の部分と第２の意匠の地の部分が重なる黒色重複部分Ｋには、第１パターン層Ｐ１及び第２パターン層Ｐ２の双方が配置される。
従って、第１パターン層Ｐ１は、第２の意匠において緑色でない部分（緑色発光部分以外の部分）に配置され、第２パターン層Ｐ２は、第１の意匠において赤色でない部分（赤色発光部分以外の部分）に配置される。
尚、ここでは、第１パターン層Ｐ１を、第１の意匠に応じて配置され、他の部分には配置されないものと捉えているが、別の捉え方をすることも可能である。即ち、第１パターン層Ｐ１を、第１の意匠にかかわらず表示面全体に亘るものと捉え、第１パターン層Ｐ１中に、緑色光ＧＬを透過せず赤色光ＲＬを透過するパターン部分と、緑色光ＧＬ及び赤色光ＲＬを透過する非パターン部分を有するものと捉えることも可能である。そして、第１パターン層Ｐ１のパターン部分が赤色樹脂膜で形成され、非パターン部分が透明樹脂膜で形成されて良い。尚、第２パターン層Ｐ２や蓄光層Ｖについても同様である。
又、表示内容や意匠の形状等に応じ、黒色重複部分Ｋ・緑黒重複部分Ｇ・赤黒重複部分Ｒ・赤緑重複部分Ｎの何れかを省略しても良い。
更に、黒色重複部分Ｋに対応するパターンにおいて、可視領域全体を透過しない不透過層を更に設けても良い。不透過層は、好適には、第２パターン層Ｐ２より前側に配置され、反射層Ｆより後側に配置される。又、不透過層は、好適には、黒色インクにより、又印刷により形成される。不透過膜を設けた場合、黒色重複部分Ｋに対応するパターンにおいて第２パターン層Ｐ２と第１パターン層Ｐ１の少なくとも一方を配置しないようにすることができる。不透過層を配置することにより、非発光部分は黒く濃くすることができ、コントラストが一層良好となる。
あるいは、不透過層として、第１パターン層Ｐ１や第２パターン層Ｐ２より光源側に配置されたものを用いても良い。この場合、好適には、不透過層を白色にする。不透過層を白色にすると、不透過層の外側に光を透過させず一旦内側に光を反射させることができ、その反射された光を再帰反射により表示光として再利用することが可能となって、表示をより明るくし、不透過により意匠に係る非発光部分を濃くすることと相まってコントラストをより一層良好にすることができる。
【００１９】
次いで、追加の意匠について説明する。
追加の意匠の暗所発光部分Ｔに、蓄光層Ｖが配置される。
追加の意匠（蓄光層Ｖ）は、蓄光可能であり且つ赤色光ＲＬ及び緑色光ＧＬを透過可能であれば、第１の意匠や第２の意匠（第１パターン層Ｐ１や第２パターン層Ｐ２の配置）にかかわらず、どこにでも配置することができる。蓄光層Ｖは蓄光材料を用いてシート状に形成され、光学積層体１０における外側（前側，観覧者に対して最も近い側）に配置されており、発光表示のために第１パターン層Ｐ１等に小穴群等を設ける必要がない。
蓄光材料で形成されて淡い色合いとなっている蓄光層Ｖは、赤色光ＲＬや緑色光ＧＬが発せられない状態において、周囲が明るければ、反射層Ｆの色合いと近くなり、暗所発光ＳＬをしていたとしても輝度が弱く、よって視認され難い。又、蓄光層Ｖは、周囲が明るければ、外光により蓄光する。
周囲が明るい状態で、赤色光ＲＬや緑色光ＧＬが発せられると、蓄光層Ｖは、赤色光ＲＬや緑色光ＧＬを透過させるところ、一般に暗所発光ＳＬ（燐光等）の強度より赤色光ＲＬや緑色光ＧＬの強度が強いので、第１の意匠や第２の意匠の表示を妨げない。又、蓄光層Ｖは、赤色光ＲＬや緑色光ＧＬによっては殆ど蓄光しない。
一方、周囲が暗ければ、蓄光層Ｖは、外光により蓄えられた暗所発光ＳＬを発光する。赤色光ＲＬや緑色光ＧＬが発せられない状態では、蓄光層Ｖの発光により追加の意匠が表示される。赤色光ＲＬ又は緑色光ＧＬが発せられると、赤色光ＲＬ又は緑色光ＧＬの強度が暗所発光ＳＬの強度より強いので、第１の意匠や第２の意匠の表示は強く見えるが、暗所発光ＳＬの光も発せられ、第１又は第２の意匠と、追加の意匠が重畳して表示される。好適には、追加の意匠の表示時（周囲が暗い時）に、赤色光ＲＬや緑色光ＧＬを発光させない。
追加の意匠の表示は、蓄光層Ｖの暗所発光ＳＬにより行われる。蓄光層Ｖは、赤色光ＲＬや緑色光ＧＬでは外光に比べ蓄光しないので、蓄光層Ｖの内、赤色光ＲＬや緑色光ＧＬが透過する部分において多く蓄光し、赤色光ＲＬや緑色光ＧＬが透過しない部分において少なく蓄光して、蓄光層Ｖにおける暗所発光ＳＬの強度にムラが生じてしまう事態を防止することができる。即ち、蓄光層Ｖは、外光によりどの部分も同様に蓄光し、同様の強度の暗所発光ＳＬを発光して、全体に亘り均一に発光する。
【００２０】
尚、光学表示装置１は、図示しない制御装置やスイッチを内部にあるいは外付けで備えている。制御装置は、単数又は複数のスイッチや発光手段１４と電気的に接続されている。制御装置は、スイッチの状態に応じ（スイッチの指令に基づき）、発光手段１４に係る発光の有無や発光色（赤又は緑）の切り替えを行う。発光手段１４や照明手段について、制御装置やスイッチを含めて構成することもできるし、輝度を調節可能なスイッチを追加することもできる。
【００２１】
このような光学表示装置１は、主に次のように動作する。
スイッチにより発光手段１４の赤色点灯が指令されると（あるいは表示部における赤色発光が指令されると、又は第１の意匠の表示が指令されると）、制御装置は発光手段１４を赤く点灯し、導光板１２は発光手段１４からの赤色光ＲＬを前面全体に導いて光学積層体１０に届ける。
赤色光ＲＬは、黒色重複部分Ｋと緑黒重複部分Ｇに配置された第２パターン層Ｐ２を通過しない。一方、赤色光ＲＬは、赤黒重複部分Ｒに配置された第１パターン層Ｐ１を通過し、隠蔽層Ｈに至る。又、赤色光ＲＬは、赤緑重複部分Ｎにあっては、そのまま隠蔽層Ｈに至る。
隠蔽層Ｈでは、赤色光ＲＬは、輝度を考慮して抑制された透過率において透過する。
反射層Ｆにおいて、赤色光ＲＬは、暗所発光ＳＬと異なり充分に透過する（あるいは蓄光層Ｖにおける暗所発光ＳＬの反射性能の付与により若干抑制されて透過する）。
赤色光ＲＬは、蓄光層Ｖの配置により、蓄光層Ｖに当たったとしても、蓄光層Ｖを透過し、外部に出る。一方、赤色光ＲＬは、蓄光層Ｖがないところでは、そのまま外部に出る。即ち、赤色光ＲＬは、蓄光層Ｖの有無にかかわらず、蓄光層Ｖを透過する。尚、図２における蓄光層Ｖの配置は、黒色重複部分Ｋ・緑黒重複部分Ｇ・赤黒重複部分Ｒ・赤緑重複部分Ｎの区別を付けたものではない。
赤色光ＲＬは、赤黒重複部分Ｒと赤緑重複部分Ｎにおいて出力され、第１の意匠の表示に寄与する。
【００２２】
一方、スイッチにより発光手段１４の緑色点灯が指令されると、制御装置は発光手段１４を緑色に点灯し、導光板１２は発光手段１４からの緑色光ＧＬを前面全体に導いて光学積層体１０に届ける。
緑色光ＧＬは、黒色重複部分Ｋと赤黒重複部分Ｒに配置された第１パターン層Ｐ１を通過しない。一方、緑色光ＧＬは、緑黒重複部分Ｇに配置された第２パターン層Ｐ２を通過し、隠蔽層Ｈに至る。又、緑色光ＧＬは、赤緑重複部分Ｎにあっては、そのまま隠蔽層Ｈに至る。
隠蔽層Ｈでは、緑色光ＧＬは、輝度を考慮して抑制された透過率において透過して、反射層Ｆに至る。
反射層Ｆにおいて、緑色光ＧＬは、暗所発光ＳＬと異なり充分に透過し、蓄光層Ｖに至る。
蓄光層Ｖにおいて、緑色光ＧＬは、蓄光層Ｖの有無にかかわらず、蓄光層Ｖを透過する。
緑色光ＷＬは、緑黒重複部分Ｇと赤緑重複部分Ｎにおいて出力され、第２の意匠の表示に寄与する。
【００２３】
他方、スイッチにより発光手段１４の消灯が指令されると、制御装置は発光手段１４を消灯する。発光手段１４の消灯により、第１の意匠及び第２の意匠は見えなくなる。
光学表示装置１の周りが明るい場合、追加の意匠は、暗所発光ＳＬの輝度が外光と比較して強くないため、反射層Ｆとのコントラスト差程度の見え方となり、視認性が悪い。又、この場合、光学積層体１０に隠蔽層Ｈが存在するので、光学積層体１０に外光が一旦進入して反射により外部に戻ったとしても、隠蔽層Ｈにより外光の進入や反射を抑制することができ、その抑制によって、反射光が十分な強度で視認されてしまい第１パターン層Ｐ１や第２パターン層Ｐ２が明確に認識されてしまう事態が防止される。更に、反射層Ｆは、外光（特に赤色光ＲＬや緑色光ＧＬ以外の色，蓄光層Ｖに蓄光され易い波長の光）を反射して、蓄光層Ｖで一旦蓄光されなかった（吸収されなかった）外光を蓄光層Ｖに戻すことができる。戻された蓄光層Ｖも蓄光に寄与するため、外光による蓄光の効率が向上する。
一方、光学表示装置１の周りが暗い場合、追加の意匠が暗所発光ＳＬにより発光表示される。
暗所発光ＳＬは、発生すると何れかの方向に向かうが、後方に向かった暗所発光ＳＬは、反射層Ｆにより反射され、前方へ向かうこととなる。従って、発生した暗所発光ＳＬは最終的に全体として前方に向かうこととなり、蓄光層Ｖにおける発光量がその分増加して、追加の意匠の表示がより明瞭になる。
そして、暗所発光ＳＬの発生強度は、蓄光層Ｖにおける赤色光ＲＬの受光部分であるか否かにかかわらず、又緑色光ＧＬの受光部分であるか否かにかかわらず、外光による蓄光により均一となる。
【００２４】
以上のような本発明の光学表示装置１では、緑色光ＧＬを透過せず赤色光ＲＬを透過する第１パターン層Ｐ１と、赤色光ＲＬを透過せず緑色光ＧＬを透過する第２パターン層Ｐ２と、緑色光ＧＬ又は赤色光ＲＬで切り替えて発光可能な発光手段１４と、緑色光ＧＬ及び赤色光ＲＬによる蓄光に比べて、これらの光に係る波長以外の波長を有する外光による蓄光がより強く行われる蓄光層Ｖとを備えている。
よって、第１パターン層Ｐ１及び第２パターン層Ｐ２並びに蓄光層Ｖによって、第１の意匠及び第２の意匠並びに追加の意匠という３種類の意匠について切替表示を行うことができる。又、追加の意匠について小穴群等を通す必要がなく、表現の自由度が高い。更に、蓄光層Ｖにおいて、緑色光ＧＬ通過部分（緑黒重複部分Ｇ）と、赤色光ＲＬ通過部分（赤黒重複部分Ｒ）と、これら双方の通過部分（赤緑重複部分Ｎ）と、これら双方の非通過部分（黒色重複部分Ｋ）との重複が存在したとしても、緑色光ＧＬや赤色光ＲＬでの蓄光より外光（５００ｎｍ未満）での蓄光が強いから、前三者の部分の暗所発光ＳＬが後一者の部分の暗所発光ＳＬより強くなって追加の意匠にムラが生じてしまう事態を防止することができる。又更に、緑色光ＧＬと赤色光ＲＬの何れか一方が通過する部分と、これら双方が通過する部分とにおける蓄光の強さも揃えることができ、蓄光層Ｖにおける暗所発光ＳＬによる追加の意匠の表示が均一になる。
又、光学表示装置１は、発光手段１４により発光する緑色光ＧＬや赤色光ＲＬを透過し、蓄光による暗所発光ＳＬや外光を蓄光層Ｖ側に反射する反射層Ｆを備えている。よって、暗所発光ＳＬを観覧者側に集めることができ、蓄光層Ｖにおける暗所発光ＳＬによる追加の意匠の表示が効率良くクリアになる。又、外光による蓄光層Ｖへの蓄光の効率がより一層良好となり、暗所発光ＳＬの強度を更に強くして追加の意匠を明瞭に表示することができる。
更に、蓄光層Ｖが、アルミン酸塩にアルカリ土類金属を混合して発光イオンを賦活した蓄光材料を用いて形成されると、５００ｎｍ程度の波長を境界として、境界波長未満の波長の光（青色光や外光等）で強く蓄光し、境界波長以上の波長の光（緑色光ＧＬや赤色光ＲＬ等）で略蓄光せず、暗所発光ＳＬの強度が十分である蓄光層Ｖを実現することができる。
【００２５】
尚、以上の光学表示装置１に対し、更に発光手段１４の黄色発光を可能とし、第１パターン層Ｐ１につき緑色の光を透過せず赤色及び黄色の光を透過する光選択透過材（緑色以外透過の光選択透過材）により形成し、第２パターン層Ｐ２につき赤色の光を透過せず緑色及び黄色の光を透過する光選択透過材（赤色以外透過の光選択透過材）により形成し、更に黄色の光を透過せず緑色及び赤色の光を透過する光選択透過材（黄色以外透過の光選択透過材）により形成される第３パターン層を設けたものとすると、次の通りになる。
即ち、更に、第３特定色の光を透過せず他の特定色の光を透過する第３パターン層を備えており、発光手段１４は、赤色、緑色又は黄色の何れかに切り替えて発光可能である。
この場合において、蓄光層Ｖを、赤色、緑色及び黄色の光により（外光に比べて）蓄光しないものとすると、第１〜第３パターン層による第１〜第３の意匠と蓄光層Ｖによる追加の意匠の計４種の意匠の切替表示が可能であり、追加の意匠を均一に表示可能である光学表示装置を提供することができる。
尚、第１パターン層Ｐ１は、緑色発光部分以外の部分に配置され、第２パターン層Ｐ２は、赤色発光部分以外の部分に配置され、第３パターン層は、黄色発光部分以外の部分に配置される。
【００２６】
そして、同様にして更に第１ないし第３特定色の何れとも（波長や波長域の）異なる第ｊ特定色（ｊ＝［４］，［４，５］，［４，５，６］・・、［］はここでは集合を示す）を発光可能とし、且つ蓄光層Ｖを、何れの色の光によっても（外光よりは）蓄光しないものとすることで、多くの意匠の切替表示を可能としながら、蓄光層Ｖによる追加の意匠を均一に表示することができる。
【００２７】
≪第２形態≫
図３は本発明の第２形態に係る光学表示装置１０１の前面図であり、図４は光学表示装置１０１の一部水平断面概念図（図の上が前方）である。
光学表示装置１０１は、発光手段の色と、第１パターン層及び第２パターン層並びに蓄光層に係るパターンや色を除き、第１形態と同様に成る。第１形態と同様の部材には同符号を付して適宜説明を省略する。尚、第２形態においても、第１形態の変更例を適用可能である。
【００２８】
発光手段１４は、第１形態の赤色光ＲＬと緑色光ＧＬの切替発光に代えて、第２形態では赤色光ＲＬと青色光ＢＬ（例えば４５０ｎｍの波長の光）の切替発光が可能である。
第１形態の緑黒重複部分Ｇは第２形態では青黒重複部分Ｂに代わり、同様に赤緑重複部分Ｎは赤青重複部分Ｍに代わる。
第１パターン層Ｐ１’は、青色光ＢＬを透過せず赤色光ＲＬを透過し、第２パターン層Ｐ２’は、赤色光ＲＬを透過せず青色光ＢＬを透過する。
第１パターン層Ｐ１’及び第２パターン層Ｐ２’は、赤黒重複部分Ｒ及び赤青重複部分Ｍ（第１の意匠）が縦横共に大きな矩形となり、青黒重複部分Ｂ及び赤青重複部分Ｍ（第２の意匠）が比較的に細い横長の矩形となるように配置されている。
【００２９】
第２形態において、蓄光層Ｖは、第１パターン層Ｐ１’と同じパターンで配置されており、第２の意匠（青黒重複部分Ｂ及び赤青重複部分Ｍ）を反転したパターンで配置されている。
即ち、蓄光層Ｖは、青色光ＢＬが通過しない位置に配置されており、赤黒重複部分Ｒないし黒色重複部分Ｋに配置されている。
【００３０】
第２形態の光学表示装置１０１によっても、赤色光ＲＬによる第１の意匠、及び青色光ＢＬによる第２の意匠、並びに暗所発光ＳＬによる追加の意匠の、３種類の意匠の切替表示が可能である。追加の意匠は、第２の意匠に対する陰画（あるいはその一部）になるものの、小穴群等を通す必要はなく、やはり表現の自由度が高い。
そして、光学表示装置１０１において、５００ｎｍ未満の波長の光で強く蓄光する蓄光層Ｖは、５００ｎｍ以上の波長の赤色光ＲＬでは（青色光ＢＬや外光に比べて）殆ど蓄光せず、又蓄光層Ｖは、強く蓄光し得る５００ｎｍ未満の波長の青色光ＢＬが透過する部分には配置されない。よって、発光手段１４による発光では殆ど蓄光されず、追加の意匠の表示が均一である。
【００３１】
≪第３形態≫
第３形態の光学表示装置は、蓄光層Ｖの配置を除き、第２形態の光学表示装置１０１と同様に成る。
第３形態に係る蓄光層Ｖは、第２形態における蓄光層Ｖの配置の陰画となっている。即ち、第３形態の蓄光層Ｖは、第１パターン層Ｐ１’を反転したパターンで配置されており、第２の意匠と同じパターンで配置されている。
つまり、第３形態の蓄光層Ｖは、青色光ＢＬが通過する位置に配置されており、青黒重複部分Ｂ及び赤青重複部分Ｍに配置されている。
一方、第３形態の蓄光層Ｖは、青色光ＢＬが通過しない位置には配置されず、赤黒重複部分Ｒないし黒色重複部分Ｋには配置されない。
尚、第３形態の蓄光層Ｖは、青黒重複部分Ｂ及び赤青重複部分Ｍの全部に配置されても良いし、その一部に配置されても良い。
【００３２】
第３形態の光学表示装置によっても、赤色光ＲＬによる第１の意匠、及び青色光ＢＬによる第２の意匠、並びに暗所発光ＳＬによる追加の意匠の、３種類の意匠の切替表示が可能である。追加の意匠は、第２の意匠と同じ（あるいはその一部）になるものの、小穴群等を通す必要はなく、やはり表現の自由度が高い。
そして、第３形態の光学表示装置において、５００ｎｍ未満の波長の光で強く蓄光する蓄光層Ｖは、強く蓄光し得る５００ｎｍ未満の波長の青色光ＢＬが透過する部分のみに配置され、青色光ＢＬが透過しない部分には配置されない。よって、蓄光層Ｖは何れの部分においても発光手段１４による発光（青色光ＢＬ）や外光により同じように蓄光され、追加の意匠の表示はムラなく均一になる。
【実施例】
【００３３】
上記形態の蓄光層Ｖや各種の光に関するより具体的な実施例について、その特性等を以下に示す。
実施例に係る蓄光層Ｖは、アルミン酸塩にアルカリ土類金属を混合して発光イオンを賦活した蓄光材料（ＳｒＡｌ２Ｏ４：Ｅｕ，Ｄｙ）を用いて形成されたものであり、０．２ミリメートル厚の透明なポリカーボネートシートに対して当該蓄光材料を５回同パターンで印刷して形成したものである。
この蓄光層Ｖに対して、緑色光ＧＬや青色光ＢＬを所定時間に亘り照射した場合の、蓄光発光特性や残光変化について調べた。
照射した緑色光ＧＬや青色光ＢＬに係る、可視域（例えば４００〜７８０ｎｍ）の波長域付近における分光発光分布を、図５に示す。ここで、１．００Ｅ＋００は１．００×１００即ち１．００のことであり、同様に２．００Ｅ−０１は２．００×１０−１即ち０．２００のことである。尚、図５では、赤色光ＲＬの分光発光分布についても例示している。
又、暗所発光ＳＬの見受けられない蓄光層Ｖに対して緑色光ＧＬを２時間に亘り照射した場合（Ｇ−２Ｈ）と、同様に青色光ＧＬを５分間照射した場合（Ｂ−５ｍｉｎ）における、照射終了直後の蓄光層Ｖの暗所における発光特性（波長［ｎｍ］と輝度［ｃｄ／ｍ２］の関係，［ｃｄ／ｍ２］はカンデラ毎平方メートル）について図６に示す。蓄光層Ｖの発光特性は、測定機（株式会社コニカミノルタ製ＣＳ２０００）により測定した。測定距離は２メートルであり、測定角は０．２°である。
【００３４】
図６によれば、蓄光層Ｖに緑色光ＧＬを２時間照射した場合の暗所発光ＳＬの輝度（測定角０．２°）の分布は、４００ｎｍ以上７００ｎｍ以下の波長域に亘り殆ど横軸と同じになっており、輝度が０に近いものとなっている。尚、５５０ｎｍ付近及び６１０ｎｍ付近の輝度の極大値は、その波長等から、測定時に僅かに外部光が測定対象に作用したことで発生したノイズによるものと判断することができる。
これに対し、蓄光層Ｖに青色光ＢＬを５分間照射した場合の暗所発光ＳＬの輝度（測定角０．２°）は、４００ｎｍ以上７００ｎｍ以下の波長域において最大で５．９Ｅ−０５ｃｄ／ｍ２程度である。この最大値は、５２０ｎｍ付近におけるものであり、ノイズの影響は極めて小さい。
かように、緑色光ＧＬと青色光ＧＬとで蓄光による暗所発光ＳＬの輝度は大きく相違し、緑色光ＧＬによる暗所発光ＳＬの輝度は極めて小さく、青色光ＢＬによる暗所発光ＳＬの輝度は大きい。
尚、赤色光ＲＬは緑色光ＧＬより波長が長く、赤色光ＲＬの具備するエネルギーは緑色光ＧＬのエネルギーより小さいため、赤色光ＲＬによる蓄光層Ｖに対する蓄光は緑色光ＧＬによる蓄光より更に弱く、赤色光ＲＬに基づく暗所発光ＳＬの輝度は緑色光ＧＬに基づく暗所発光ＳＬの輝度より更に小さいものとなる。
よって、第１形態において、蓄光層Ｖは、緑色光ＧＬや赤色光ＲＬによって殆ど蓄光せず、青色光ＧＬを含む外光により十分に蓄光し、蓄光層Ｖによる暗所発光ＳＬが均一になる。
又、第２形態において、蓄光層Ｖは、青色光ＧＬの通過部分には配置されず、蓄光層Ｖにおける青色光ＧＬの通過部分が他の部分より強い暗所発光ＳＬを呈してムラを生じる事態が防止される。
【００３５】
そして、第１形態のような蓄光層Ｖに緑色光ＧＬが通過し得る光学表示装置１において、敢えて緑色光ＧＬに代えて青色光ＢＬを２５分間（発光手段１４側から、即ち蓄光層Ｖの裏から）照射し、照射完了直後から５分経過した時の、蓄光層Ｖの青色光ＢＬ通過部分と非通過部分に係る残光の輝度の差異を測定した。
又、外光による蓄光の模擬として、光学表示装置１の前カバー３側から、即ち蓄光層Ｖの表から青色光ＢＬを２５分間照射して、照射完了直後から５分経過した時の残光の輝度を測定した。尚、この測定は、蓄光層Ｖにおける裏からの青色光ＢＬが通過しない部分に対して行った。
本明細書において、発光手段１４側からの照射を「裏照射」と言うことがあり、前カバー３側からの照射を「表照射」と言うことがある。
【００３６】
その結果としては、蓄光層Ｖの青色光ＢＬ通過部分（裏照射）の輝度は０．９５ｃｄ／ｍ２であり、蓄光層Ｖの青色光ＢＬ非通過部分（裏照射）の輝度は０．３９ｃｄ／ｍ２であった。又、表照射の場合の輝度は１．６２ｃｄ／ｍ２であった。
又、分光輝度分布についても調べており、その結果を図７に示す。
図７中、「裏照射明」は蓄光層Ｖに対して青色光ＢＬの２５分間の裏照射を完了して５分経過した後における青色光ＢＬ通過部分の輝度分布であり、「裏照射暗」は同様の裏照射後における青色光ＢＬ非通過部分の輝度分布である。又、「表照射」は蓄光層Ｖに対して青色光ＢＬの２５分間の表照射を完了して５分経過した後における青色光ＢＬ非通過部分の輝度分布である。尚、「ベース」は、測定機の外部光によるノイズの影響を調べるため、測定対象を何もセットしない状態で輝度分布を測定した結果であり、これにより５３０，６１０ｎｍ付近にノイズが存在することが分かる。
これらの結果によれば、「裏照射明」と「裏照射暗」とで輝度に差異が生じており、第１形態で緑色光ＧＬに代えて青色光ＢＬを敢えて照射すると、蓄光層Ｖの青色光ＢＬ通過部分と非通過部分で異なる輝度の暗所発光ＳＬとなって、追加の意匠にムラが生じてしまうことが分かる。
本発明の第１形態では、切替発光色について何れも蓄光層Ｖに蓄光させ難いもの（緑色光ＧＬや赤色光ＲＬ）としてムラを防止している。
又、第２形態では、切替発光色の一部に蓄光層Ｖにおける蓄光が良くなされるもの（蓄光させ易い色の光，青色光ＢＬ）を含むものの、蓄光層Ｖを蓄光させ易い色の光が通過しない部分内に配置することでムラを防止している。
他方、第３形態では、切替発光色の一部に蓄光層Ｖにおける蓄光が良くなされるもの（蓄光させ易い色の光，青色光ＢＬ）を含み、蓄光層Ｖを蓄光させ易い色の光が通過する部分内に配置することでムラを防止している。
【産業上の利用可能性】
【００３７】
本発明に係る光学表示装置は、看板、機器のボタン部を始めとするスイッチ部やその隣接部分、避難誘導灯等に適用することが可能である。スイッチ部に適用した場合、スイッチ部による切替状態と光学表示装置における表示態様（切替表示可能な各種意匠）を関連付けることが可能である。
【符号の説明】
【００３８】
１，１０１・・光学表示装置、１４・・発光手段、ＢＬ・・青色光（第１特定色の光）、Ｆ・・反射層、Ｐ１，Ｐ１’・・第１パターン層、Ｐ２，Ｐ２’・・第２パターン層、ＧＬ・・緑色光（第１特定色の光）、ＲＬ・・赤色光（第２特定色の光）、ＳＬ・・暗所発光、Ｖ・・蓄光層。
【図１】
0006446728.tif 000002
【図２】
0006446728.tif 000003
【図３】
0006446728.tif 000004
【図４】
0006446728.tif 000005
【図５】
0006446728.tif 000006
【図６】
0006446728.tif 000007
【図７】
0006446728.tif 000008